【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
コンピュータにより実施される方法であって、
ユーザ端末により、オーディオ信号を取得するステップと；
所定の音声信号のサンプリングレートと前記所定の音声信号の周波数との比率を特定するステップと；
前記ユーザ端末により、前記比率に基づいて、前記オーディオ信号を複数のサンプルを含む最大数量の短時間エネルギーフレームに分割するステップと；
前記ユーザ端末により、各短時間エネルギーフレームのエネルギーを特定するステップと；
前記ユーザ端末により、各短時間エネルギーフレームの前記エネルギーに基づいて、前記オーディオ信号が音声信号を含むかどうかを特定するステップと；を備える、
コンピュータにより実施される方法。
【請求項２】
前記オーディオ信号は、前記サンプリングレートで収集され、パルス符号変調（ＰＣＭ）方式である、
請求項１に記載の方法。
【請求項３】
前記取得したオーディオ信号が、非ＰＣＭ方式であり、
前記オーディオ信号を分割する前に、
前記オーディオ信号をパルス符号変調（ＰＣＭ）方式に変換するステップと；
前記オーディオ信号の前記サンプリングレートを識別するステップと；を更に備える、
請求項１に記載の方法。
【請求項４】
前記各短時間エネルギーフレームのエネルギーは、各短時間エネルギーフレームの各サンプリングポイントに関連付けられたエネルギーの合計であり、前記各サンプリングポイントに関連付けられたエネルギーは、前記短時間エネルギーフレームのサンプリングポイントに対応する前記オーディオ信号の振幅に基づいて特定される、
請求項１に記載の方法。
【請求項５】
前記オーディオ信号が音声信号を含むかどうかを特定するステップは、
複数の高エネルギーフレームを特定するステップであって、前記複数の高エネルギーフレームの各高エネルギーフレームは、エネルギーが所定の閾値よりも大きい短時間エネルギーフレームである、ステップと；
前記オーディオ信号に含まれる前記短時間エネルギーフレームの量に対する前記複数の高エネルギーフレームの量の比によって表される高エネルギーフレーム比率を特定するステップと；
前記高エネルギーフレーム比率が所定の値より大きいかどうかを特定するステップと；
前記高エネルギーフレーム比率が前記所定の値より大きいと特定された場合に、
前記オーディオ信号には音声信号が含まれていると特定するステップ；又は、
前記高エネルギーフレーム比率が前記所定の値より大きくないと特定された場合に、
前記オーディオ信号には音声信号が含まれていないと特定するステップ；を備える、
請求項１に記載の方法。
【請求項６】
前記高エネルギーフレーム比率が所定の値よりも大きいと特定され、更に、
前記オーディオ信号に含まれる前記短時間エネルギーフレームから、所定数の連続する短時間エネルギーフレームがあるかどうかを特定するステップであって、前記所定数の連続する短時間エネルギーフレームのそれぞれは、前記所定の閾値よりも大きいエネルギーを有する、ステップと；
肯定の場合に、前記オーディオ信号には音声信号が含まれていると特定するステップ；又は、
肯定でない場合に、前記オーディオ信号には音声信号が含まれていないと特定するステップ；を備える、
請求項５に記載の方法。
【請求項７】
所定の操作を実行するためにコンピュータシステムによって実行可能な１又は複数の命令を格納する、非一時的なコンピュータ読取可能媒体であって、前記操作は、
ユーザ端末により、オーディオ信号を取得するステップと；
所定の音声信号のサンプリングレートと前記所定の音声信号の周波数との比率を特定するステップと；
前記ユーザ端末により、前記比率に基づいて、前記オーディオ信号を複数のサンプルを含む最大数量の短時間エネルギーフレームに分割するステップと；
前記ユーザ端末により、各短時間エネルギーフレームのエネルギーを特定するステップと；
前記ユーザ端末により、各短時間エネルギーフレームのエネルギーに基づいて、前記オーディオ信号が音声信号を含むかどうかを特定するステップと；を備える、
非一時的なコンピュータ読取可能媒体。
【請求項８】
前記オーディオ信号は、前記サンプリングレートで収集され、パルス符号変調（ＰＣＭ）方式である、
請求項７に記載の非一時的なコンピュータ読取可能媒体。
【請求項９】
前記取得したオーディオ信号が、非ＰＣＭ方式であり、
前記オーディオ信号を分割する前に、
前記オーディオ信号をパルス符号変調（ＰＣＭ）方式に変換するステップと；
前記オーディオ信号の前記サンプリングレートを識別するステップと；を更に備える、
請求項７に記載の非一時的なコンピュータ読取可能媒体。
【請求項１０】
前記各短時間エネルギーフレームのエネルギーは、各短時間エネルギーフレームの各サンプリングポイントに関連付けられたエネルギーの合計であり、前記各サンプリングポイントに関連付けられたエネルギーは、前記短時間エネルギーフレームのサンプリングポイントに対応する前記オーディオ信号の振幅に基づいて特定される、
請求項７に記載の非一時的なコンピュータ読取可能媒体。
【請求項１１】
前記オーディオ信号が音声信号を含むかどうかを特定するステップは、
複数の高エネルギーフレームを特定するステップであって、前記複数の高エネルギーフレームの各高エネルギーフレームは、エネルギーが所定の閾値よりも大きい短時間エネルギーフレームである、ステップと；
前記オーディオ信号に含まれる前記短時間エネルギーフレームの量に対する前記複数の高エネルギーフレームの量の比によって表される高エネルギーフレーム比率を特定するステップと；
前記高エネルギーフレーム比率が所定の値より大きいかどうかを特定するステップと；
前記高エネルギーフレーム比率が前記所定の値より大きいと特定された場合に、
前記オーディオ信号には音声信号が含まれていると特定するステップ；又は、
前記高エネルギーフレーム比率が前記所定の値より大きくないと特定された場合に、
前記オーディオ信号には音声信号が含まれていないと特定するステップ；を備える、
請求項７に記載の非一時的なコンピュータ読取可能媒体。
【請求項１２】
前記高エネルギーフレーム比率が所定の値よりも大きいと特定され、更に、
前記オーディオ信号に含まれる前記短時間エネルギーフレームから、所定数の連続する短時間エネルギーフレームがあるかどうかを特定するステップであって、前記所定数の連続する短時間エネルギーフレームのそれぞれは、前記所定の閾値よりも大きいエネルギーを有する、ステップと；
肯定の場合に、前記オーディオ信号には音声信号が含まれていると特定するステップ；又は、
肯定でない場合に、前記オーディオ信号には音声信号が含まれていないと特定するステップ；を備える、
請求項１１に記載の非一時的なコンピュータ読取可能媒体。
【請求項１３】
コンピュータにより実施されるシステムであって、
１又は複数のコンピュータと；
前記１又は複数のコンピュータと相互運用可能に接続され、前記１又は複数のコンピュータによって実行されると１又は複数の操作を実行する１又は複数の命令を格納する有形の非一時的な機械読取可能媒体を備えた、１又は複数のコンピューターメモリデバイスであって、前記１又は複数の操作は、
ユーザ端末により、オーディオ信号を取得するステップと；
所定の音声信号のサンプリングレートと前記所定の音声信号の周波数との比率を特定するステップと；
前記ユーザ端末により、前記比率に基づいて、前記オーディオ信号を複数のサンプルを含む最大数量の短時間エネルギーフレームに分割するステップと；
前記ユーザ端末により、各短時間エネルギーフレームのエネルギーを特定するステップと；
前記ユーザ端末により、各短時間エネルギーフレームのエネルギーに基づいて、前記オーディオ信号が音声信号を含むかどうかを特定するステップと；を備える、前記１又は複数のコンピューターメモリデバイスと；を備える、
コンピュータにより実施されるシステム。
【請求項１４】
前記オーディオ信号は、前記サンプリングレートで収集され、パルス符号変調（ＰＣＭ）方式である、
請求項１３に記載のコンピュータにより実施されるシステム。
【請求項１５】
前記取得したオーディオ信号が、非ＰＣＭ方式であり、
前記オーディオ信号を分割する前に、
前記オーディオ信号をパルス符号変調（ＰＣＭ）方式に変換するステップと；
前記オーディオ信号の前記サンプリングレートを識別するステップと；を更に備える、
請求項１３に記載のコンピュータにより実施されるシステム。
【請求項１６】
前記各短時間エネルギーフレームのエネルギーは、各短時間エネルギーフレームの各サンプリングポイントに関連付けられたエネルギーの合計であり、前記各サンプリングポイントに関連付けられたエネルギーは、前記短時間エネルギーフレームのサンプリングポイントに対応する前記オーディオ信号の振幅に基づいて特定される、
請求項１３に記載のコンピュータにより実施されるシステム。
【請求項１７】
前記オーディオ信号が音声信号を含むかどうかを特定するステップは、
複数の高エネルギーフレームを特定するステップであって、前記複数の高エネルギーフレームの各高エネルギーフレームは、エネルギーが所定の閾値よりも大きい短時間エネルギーフレームである、ステップと；
前記オーディオ信号に含まれる前記短時間エネルギーフレームの量に対する前記複数の高エネルギーフレームの量の比によって表される高エネルギーフレーム比率を特定するステップと；
前記高エネルギーフレーム比率が所定の値より大きいかどうかを特定するステップと；
前記高エネルギーフレーム比率が前記所定の値より大きいと特定された場合に、
前記オーディオ信号には音声信号が含まれていると特定するステップ；又は、
前記高エネルギーフレーム比率が前記所定の値より大きくないと特定された場合に、
前記オーディオ信号には音声信号が含まれていないと特定するステップ；を備える、
請求項１３に記載のコンピュータにより実施されるシステム。